(57)【要約】【課題】袋詰めされる砂利等の粒状物を簡単に洗浄できるとともに、強度面及び体裁面にも優れた粒状物用包装袋を提供する。【解決手段】本発明の包装袋は、透水性シート部材からなる柔軟な有底内袋体２と、非透水性シート部材からなる柔軟な有底外袋体３とを備える。内袋体２に外袋体３が外皮状態に組み合わされて、二重袋構造に形成される。外袋体３の下端が内袋体２の下端よりも下方に延設されて、その下方延設部が切除領域５として構成される。内袋体２の袋底部２ｃを残存させた状態で、外袋体３の切除領域５が袋底部３ｃと共に切除されることにより、外袋体３の下方が開放されて排水口３ｄが形成されるよう構成される。【選択図】      図１
2004189287.tif 000002
【特許請求の範囲】
【請求項１】
透水性のシート部材からなる柔軟な有底内袋体と、非透水性のシート部材からなる柔軟な有底外袋体とを備え、
前記内袋体に前記外袋体が外皮状態に組み合わされて、二重袋構造に形成されるとともに、
前記外袋体の下端部における前記内袋体の下端位置よりも下方側の領域が切除領域として構成され、
前記外袋体の切除領域が袋底部と共に切除されることにより、前記外袋体の下方が開放されて排水口が形成されるよう構成されてなることを特徴とする粒状物用包装袋。
【請求項２】
前記外袋体の側端縁下端部に、前記切除領域の切除操作をガイドするための切除ガイド用切込部が形成されてなる請求項１記載の粒状物用包装袋。
【請求項３】
前記内袋体は、熱可塑性合成繊維製の不織布により構成されてなる請求項１又は２記載の粒状物用包装袋。
【請求項４】
前記内袋体は、熱可塑性合成樹脂製のパンチングシートにより構成されてなる請求項１又は２記載の粒状物用包装袋。
【請求項５】
シート部材からなる柔軟な有底内袋体と、非透水性のシート部材からなる柔軟な有底外袋体とを備え、
前記内袋体に前記外袋体が外皮状態に組み合わされて、二重袋構造に形成されるとともに、
前記内袋体の一部が透水性を有する透水性領域として構成され、
前記外袋体の前記透水性領域に対応する部分が開放されることにより、排水口が形成されるよう構成されてなることを特徴とする粒状物用包装袋。
【請求項６】
前記内袋体の袋底部を含む領域が前記透水性領域として構成されてなる請求項５記載の粒状物用包装袋。
【請求項７】
前記外袋体の袋底部を含む領域が切除領域として構成され、その切除領域を接離除去することにより、前記排水口が形成されるよう構成されてなる請求項５又は６記載の粒状物用包装袋。
【請求項８】
前記外袋体が、前面シートと後面シートとを具備し、その前面シートの少なくとも一部が剥離されることにより、前記排水口が形成されるよう構成されてなる請求項５又は６に記載の粒状物用包装袋。
【請求項９】
前記内袋体は、その透水性領域が、熱可塑性合成繊維製の不織布により構成されるとともに、残りの領域が、前記透水性領域の不織布と相溶性を有し、かつ前記外袋体と同種の熱可塑性合成樹脂製のシート部材により構成されてなる請求項５ないし７のいずれかに記載の粒状物用包装袋。
【請求項１０】
前記内袋体は、その透水性領域に多数の透水孔が設けられ、かつ前記外袋体と同種の熱可塑性合成樹脂製のシート部材により構成されてなる請求項５ないし７のいずれかに記載の粒状物用包装袋。
【請求項１１】
非透水性のシート部材からなる柔軟な前面シート及び後面シートと、これらの両シート間に配置され、かつ透水性のシート部材からなる柔軟な中間シートとを有する三層シート構造を具備し、
上記各シートの両側端縁及び下側端縁が接合されて、前記中間シート及び前記後面シート間に、粒状物収納用の袋状部が形成され、
前記前面シートの少なくとも一部が、前記中間シートに対し剥離可能に構成されてなることを特徴とする粒状物用包装袋。
【請求項１２】
前記前面シートの全域が、前記中間シートに対し剥離されるよう構成されてなる請求項１１記載の粒状物用包装袋。
【請求項１３】
非透水性のシート部材からなる柔軟な前面シート及び後面シートと、これらの両シート間に配置され、かつシート部材からなる柔軟な中間シートとを有する三層シート構造を具備し、
上記各シートの両側端縁及び下側端縁が接合されて、前記中間シート及び前記後面シート間に、粒状物収納用の袋状部が形成され、
前記中間シートの一部が透水性を有する透水性領域として構成され、
前記前面シートにおける前記中間シートの透水性領域に対応する部分が剥離可能に構成されてなることを特徴とする粒状物用包装袋。
【請求項１４】
前記中間シートの下端部が前記透水性領域として構成されてなる請求項１３記載の粒状物用包装袋。
【請求項１５】
非透水性のシート部材からなる柔軟な有底袋体を具備し、
前記有底袋体の一部が透水性を有する透水性領域として構成され、
前記有底袋体の透水性領域に、非透水性のシート部材からなる剥離シートが剥離可能に取り付けられ、その剥離シートを剥離することにより、前記透水性領域が露出されるよう構成されてなることを特徴とする粒状物用包装袋。
【請求項１６】
前記有底袋体の袋底部を含む領域が透水性領域として構成されてなる請求項１５記載の粒状物用包装袋。
【発明の詳細な説明】
【０００１】
【発明の属する技術分野】
この発明は、例えば観賞魚飼育用の水槽や爬虫類等の小動物飼育用の容器における底面に敷設される砂利や砂等の粒状物を収容するための粒状物用包装袋に関する。
【０００２】
【従来の技術】
観賞魚飼育用水槽内の底面に敷設される砂利や砂等の粒状物は、例えばペットショップ等で袋詰めにされて販売されている。一般に、このような砂利詰め製品は、流通過程において、砂利同士が擦れ合って表面が削り取られてしまい、その削りカスが砂利表面に付着することにより、汚れた状態で店頭に陳列されている。このため、購入した砂利をそのまま水槽等に投入して使用すると、表面に付着した削りカス等の汚染物質が水槽内に拡散して、水質汚染等の不具合を招く恐れがある。従って、砂利製品は、購入後、表面の汚染物質を洗い落としてから、水槽内に敷き詰めるのが通例である。
【０００３】
袋詰めされた砂利を洗浄するには、砂利を包装袋から取り出して、例えば市販のバケツや、下記特許文献１に示す砂利洗浄容器等に移し替えて、水洗いするのが一般的である。
【０００４】
【特許文献１】
特開平８−３８９２６号
【０００５】
【発明が解決しようとする課題】
しかしながら、上記の砂利洗浄作業では、包装袋から砂利を一旦取り出して、洗浄容器等に移し替えるという面倒な作業が必要となり、洗浄作業が困難であるという問題があった。
【０００６】
上記以外にも、砂利等の粒状物用包装袋においては、流通過程での破断や破損等を防止するために、強度面についても十分に考慮する必要があり、更に購買意欲を向上させるために、外観体裁等の体裁面についても配慮する必要がある。
【０００７】
この発明は、上記のような技術背景に鑑みてなされたもので、袋詰めされる砂利等の粒状物を簡単に洗浄できるとともに、強度面及び体裁面にも優れた粒状物用包装袋を提供することを目的とする。
【０００８】
【課題を解決するための手段】
上記目的を達成するため、本第１発明の粒状物用包装袋は、透水性のシート部材からなる柔軟な有底内袋体と、非透水性のシート部材からなる柔軟な有底外袋体とを備え、前記内袋体に前記外袋体が外皮状態に組み合わされて、二重袋構造に形成されるとともに、前記外袋体の下端部における前記内袋体の下端位置よりも下方側の領域が切除領域として構成され、前記外袋体の切除領域が袋底部と共に切除されることにより、前記外袋体の下方が開放されて排水口が形成されるよう構成されてなるものを要旨としている。
【０００９】
本第１発明の粒状物用包装袋においては、透水性の内袋体に非透水性の外袋体が外皮状に組み合わされた二重袋構造を有しており、外袋体の下端切除領域を除去して排水口を形成できるように構成しているため、内部の粒状物を洗浄する場合には、外袋体の切除領域を切除して排水口を形成することにより、粒状物を内袋体に収納保持したままの状態で通水が可能となる。従って、粒状物を洗浄する際に粒状物を洗浄容器へ移し替える等の面倒な作業を必要とせず、袋詰めしたままの状態で簡単に洗浄することができる。
【００１０】
しかも、外袋体の切除領域を、内袋体の下端位置よりも下方に設けているため、切除領域を切除する際に、内袋体に干渉するのを防止することができる。このため切除領域を切除する際に、内袋体までも不本意に破断させてしまう等の不具合を確実に防止でき、排水口の形成を簡単かつ正確に行うことができ、より一層、簡単に内容物を洗浄することができる。
【００１１】
また本発明の包装袋は、内袋体と外袋体との二重袋構造に形成されているため、十分な強度を得ることができ、流通過程での破損や破断を防止することができるとともに、内袋体は、外袋体により被覆されているため、孔明きシートや不織布等の内袋体が外部に露呈することがなく隠蔽されるので、良好な外観体裁を得ることができる。
【００１２】
一方、本第１発明においては、前記外袋体の側端縁下端部に、前記切除領域の切除操作をガイドするための切除ガイド用切込部が形成されてなる構成を採用するのが好ましい。
【００１３】
すなわちこの構成を採用する場合には、切込部を起点にして、ハサミやカッターナイフ等の工具を用いずに手だけで袋底部を簡単かつ正確に切除することができ、排水口の形成を、より一層簡単かつ確実に行うことができる。
【００１４】
また本第１発明において、前記内袋体は、熱可塑性合成繊維製の不織布により構成されてなるものを採用するのが良い。
【００１５】
すなわちこの場合には、通水洗浄時に、内袋体内の砂利等の粒状物を流出させることなく、廃水のみをスムーズに排出することができ、効率良く洗浄することができる。
【００１６】
更に本第１発明において、前記内袋体は、熱可塑性合成樹脂製のパンチングシートにより構成されてなるものを採用するのが望ましい。
【００１７】
すなわちこの場合には、内袋体を不織布等により構成する場合と比較して、材料費を削減できるとともに、製作を容易に行うことができる。
【００１８】
なお、本第１発明においては、前記内袋体及び外袋体は、透明シート又は半透明シートにより構成されてなるものを採用するのが、より一層好ましい。
【００１９】
すなわちこの場合には、袋詰めされる粒状物の色合い、大きさ、形状等を視認することができるため、購買者等は内容物を確認して納得した上で、安心して購入することができるので、購買者の購買意欲を消失させるような不具合を確実に防止することができる。
【００２０】
また本第１発明において、前記外袋体は、前記内袋体に対し相溶性を有する熱可塑性合成樹脂製のシートにより構成されてなるものを採用するのが、より一層望ましい。
【００２１】
すなわちこの場合には、内外両袋体間の接合一体化処理を熱融着等を用いて簡単かつ確実に行うことができる。
【００２２】
本第２発明の粒状物用包装袋は、シート部材からなる柔軟な有底内袋体と、非透水性のシート部材からなる柔軟な有底外袋体とを備え、前記内袋体に前記外袋体が外皮状態に組み合わされて、二重袋構造に形成されるとともに、前記内袋体の一部が透水性を有する透水性領域として構成され、前記外袋体の前記透水性領域に対応する部分が開放されることにより、排水口が形成されるよう構成されてなるものを要旨としている。
【００２３】
本第２発明の粒状物用包装袋においては、外袋体の一部を破断や切除等によって開放して排水口を形成するものであり、上記第１発明と同様に、同様の作用効果を奏するものである。その上更に、透水性領域を内袋体の一部に設けるものであるため、内袋体の残りの領域を、外袋体と同種の材質により構成することができる。このため、内外両袋体間の接合一体化処理を熱融着等を用いて確実に行うことができ、内外両袋体間の接合強度を向上させることができ、例えば内袋体の外袋体との接合固定部が剥離したり、破断したりする等の不具合を確実に防止することができる。
【００２４】
本第２発明においては、前記内袋体の袋底部を含む領域が前記透水性領域として構成されてなるものを採用するのが好ましい。
【００２５】
すなわちこの場合には、通水洗浄時に内袋内に注入した水を外袋体側へ効率良く流出させることができる。
【００２６】
また本第２発明においては、前記外袋体の袋底部を含む領域が切除領域として構成され、その切除領域を接離除去することにより、前記排水口が形成されるよう構成されてなるものを採用するのが良い。
【００２７】
すなわちこの構成を採用する場合には、通水洗浄時に内袋体から外袋体内に流出された水を、外部に効率良く排出することができる。
【００２８】
また本第２発明においては、前記外袋体が、前面シートと後面シートとを具備し、その前面シートの少なくとも一部が剥離されることにより、前記排水口が形成されるよう構成されてなるものを採用するのが望ましい。
【００２９】
すなわちこの場合には、通水洗浄時における排水口の形成を容易に行うことができる。
【００３０】
また本第２発明において、前記内袋体は、その透水性領域が、熱可塑性合成繊維製の不織布により構成されるとともに、残りの領域が、前記透水性領域の不織布と相溶性を有し、かつ前記外袋体と同種の熱可塑性合成樹脂製のシート部材により構成されてなるものを採用するのが、より一層好ましい。
【００３１】
すなわちこの場合には、透水性に優れた不織布を透水性領域として採用することができる。その上、内外両袋体間の接合一体化処理を熱融着等を用いて確実に行うことができるため、内外両袋体間の接合強度を向上させることができ、例えば内袋体の外袋体との接合固定部が剥離したり、破断したりする等の不具合を確実に防止することができる。
【００３２】
更に本第２発明において、前記内袋体は、その透水性領域に多数の透水孔が設けられた非透水性のシート部材により構成されてなるものを採用するのが、より一層望ましい。
【００３３】
すなわちこの場合には、透水性領域を簡単かつ安価に形成できる。更に内外両袋体間の接合一体化処理を熱融着等を用いて確実に行うことができるため、内外両袋体間の接合強度を向上させることができ、例えば内袋体の外袋体との接合固定部が剥離したり、破断したりする等の不具合を確実に防止することができる。
【００３４】
なお本第２発明において、前記外袋体に前記切除領域を設ける場合には、その切除領域の切除操作をガイドするための切除ガイド用切込部を形成するのが好ましい。
【００３５】
また本第２発明においては、前記内袋体及び外袋体は、透明シート又は半透明シートにより構成されてなるものを採用するのが、より一層好ましい。
【００３６】
本第３発明の粒状物用包装袋は、非透水性のシート部材からなる柔軟な前面シート及び後面シートと、これらの両シート間に配置され、かつ透水性のシート部材からなる柔軟な中間シートとを有する三層シート構造を具備し、上記各シートの両側端縁及び下側端縁が接合されて、前記中間シート及び前記後面シート間に、粒状物収納用の袋状部が形成され、前記前面シートの少なくとも一部が、前記中間シートに対し剥離可能に構成されてなるものを要旨としている。
【００３７】
この第３発明の粒状物用包装袋においては、中間シート及び後面シート間の袋状部に収納された砂利等の粒状物を洗浄する場合には、前面シートを剥離して、中間シートの透水性領域を外部に導通させることにより、粒状物を袋詰めにしたままの状態で通水が可能となる。従って、粒状物を包装袋から取り出してバケツ等の洗浄容器に移し替える等の面倒な作業を必要とせずに、粒状物を袋内に収納したままの状態で簡単に洗浄することができる。しかも、簡単な剥離操作を行うだけで、手軽に内容物を洗浄することができる。
【００３８】
更に三層シート構造を有するものであるため、十分な強度を得ることができ、流通過程での破損や破断を防止することができるとともに、中間シートは、前面シートにより被覆されているため、孔明きシートや不織布等の中間シートが外部に露呈することがなく隠蔽されるので、良好な外観体裁を得ることができる。
【００３９】
本第３発明においては、前記前面シートの全域が、前記中間シートに対し剥離されるよう構成するのが好ましい。
【００４０】
すなわちこの場合には、洗浄時に前面シートを剥離した際に、透水性中間シートの全域を外部に導通させることができ、通水時の排水効率を向上できて、より一層洗浄効率を向上させることができる。
【００４１】
なお本第３発明においては、透水性シート部材としては、ポリエチレン等の合成繊維の不織布からなるものを好適に用いることができる。
【００４２】
更に本第３発明においては、前面シートの剥離操作を容易にするために、前面シートの角部の一部を剥離しておく等の剥離用ガイド手段を設けるのが良い。
【００４３】
更に本第３発明においては、前面シート、中間シート及び後面シートは、透明シート又は半透明シートにより構成するのが望ましい。
【００４４】
本第４発明の粒状物用包装袋は、非透水性のシート部材からなる柔軟な前面シート及び後面シートと、これらの両シート間に配置され、かつシート部材からなる柔軟な中間シートとを有する三層シート構造を具備し、上記各シートの両側端縁及び下側端縁が接合されて、前記中間シート及び前記後面シート間に、粒状物収納用の袋状部が形成され、前記中間シートの一部が透水性を有する透水性領域として構成され、前記前面シートにおける前記中間シートの透水性領域に対応する部分が剥離可能に構成されてなるものを要旨としている。
【００４５】
本第４発明の粒状物用包装袋においては、上記第３発明と同様に、同様の作用効果を奏するものである。その上更に、透水性領域を中間シートの一部に設けるものであるため、中間シートの残りの領域を、前面シート及び後面シートと同種の材質により構成することができる。このため、各シート間の接合一体化処理を熱融着等を用いて確実に行うことができ、シート間の接合強度を向上させることができ、例えばシート接合固定部が剥離したり、破断したりする等の不具合を確実に防止することができる。
【００４６】
本第４発明においては、前記中間シートの下端部が前記透水性領域として構成されてなるものを採用するのが好ましい。
【００４７】
すなわちこの場合には、洗浄通水時に袋状部に注入した水を外部に効率良く排出することができる。
【００４８】
なお本第４発明においては、透水性領域としては、ポリエチレン等の合成繊維の不織布により構成するものを好適に用いることができる。
【００４９】
更に本第４発明においては、前面シートの剥離操作を容易にするために、前面シートの角部の一部を剥離しておく等の剥離用ガイド手段を設けるのが良い。
【００５０】
更に本第４発明においては、前面シート、中間シート及び後面シートは、透明シート又は半透明シートにより構成するのが望ましい。
【００５１】
本第５発明の粒状物用包装袋は、非透水性のシート部材からなる柔軟な有底袋体を具備し、前記有底袋体の一部が透水性を有する透水性領域として構成され、前記有底袋体の透水性領域に、非透水性のシート部材からなる剥離シートが剥離可能に取り付けられ、その剥離シートを剥離することにより、前記透水性領域が露出されるよう構成されてなるものを要旨としている。
【００５２】
この第５発明の粒状物用包装袋においては、袋体内の砂利等の洗浄物を洗浄する場合には、剥離シートを剥離して、透水性領域を露出させることにより、粒状物を袋詰めにしたままの状態で通水が可能となる。従って、粒状物を包装袋から取り出してバケツ等の洗浄容器に移し替える等の面倒な作業を必要とせずに、粒状物を袋内に収納したままの状態で簡単に洗浄することができる。しかも、簡単な剥離操作を行うだけで、手軽に内容物を洗浄することができる。更に透水性領域は、剥離シートにより被覆されているため、透水孔や不織布等が外部に露呈することがなく隠蔽されるので、良好な外観体裁を得ることができ、購入者の購買意欲を向上させることができる。
【００５３】
本第５発明においては、前記有底袋体の袋底部を含む領域が透水性領域として構成されてなるものを採用するのが好ましい。
【００５４】
すなわちこの場合には、通水洗浄時に袋体に注入した水を外部に効率良く排出することができる。
【００５５】
なお本第５発明においては、透水性領域としては、ポリエチレン等の合成繊維の不織布により構成するものを好適に用いることができる。
【００５６】
更に本第５発明においては、剥離シートの剥離操作を容易にするために、剥離シートの角部の一部を剥離しておく等の剥離用ガイド手段を設けるのが良い。
【００５７】
更に本第５発明においては、前面シート、中間シート及び後面シートは、透明シート又は半透明シートにより構成するのが望ましい。
【００５８】
ところで、本発明の好適態様の粒状物用包装袋は、シート部材からなる柔軟な有底内袋体と、非透水性のシート部材からなる柔軟な有底外袋体とを備え、前記内袋体に前記外袋体が外皮状態に組み合わされて、二重袋構造に形成されるとともに、前記内袋体の両側端縁が前記外袋体の両側端縁に接合一体化され、前記内袋体は、その少なくとも一部に透水性領域が設けられ、前記外袋体の一部が切除領域として構成され、前記外袋体の切除領域が切除されることにより、前記外袋体の内部が開放されて排水口が形成されるよう構成されてなるものである。
【００５９】
この態様の粒状物用包装袋においては、上記第１発明と同様に、同様の作用効果を奏するものである。その上更に、内袋体の両側端縁が外袋体の両側端縁に接合一体化されるため、例えば内外袋体間の接合一体化処理と、各袋体を構成する前後両面シート間の接合一体化処理とを同時に行うことができ、効率良く製造することができる。
【００６０】
なお上記本発明の好適態様は、上記第１及び第２発明に従属的に採用可能である。
【００６１】
【発明の実施の形態】
＜第１実施形態＞
図１ないし図３はこの発明の第１実施形態である粒状物用包装袋（１）を示す図である。これらの図に示すように、この包装袋（１）は、内部に砂利（Ｊ）を収容し得る有底の半透明な内袋体（２）と、その内袋体（２）に外皮状態に組み合わされた有底の透明な外袋体（３）とを備えた二重袋構造に形成されている。
【００６２】
内袋体（２）は、前面シート（２ｆ）と後面シート（２ｇ）とを有し、前後両シート（２ｆ）（２ｇ）が下端縁において連接されてその連接部が袋底部（２ｃ）として構成されるとともに、前後両シート（２ｆ）（２ｇ）の両側端縁（２ｂ）が互いに接合一体化されて、これにより上端に袋口（２ａ）を有する有底袋形状に形成されている。
【００６３】
内袋体（２）は、多数の透水孔（２ｄ）が分散状態に形成されて透水性を有し、かつポリエチレン樹脂等の熱可塑性樹脂製の柔軟なパンチングシートをもって構成されている。この内袋体（２）は、内部に砂利（Ｊ）を収容した状態に確実に保持できる一方、削りカス等、砂利表面に付着した微粉状の汚染物質を、透水孔（２ｄ）を介して水と共に外部に排出できるよう濾過機能を有している。
【００６４】
外袋体（３）は、前面シート（３ｆ）と後面シート（３ｇ）とを有し、前後両シート（３ｆ）（３ｇ）の下端縁が互いに接合一体化されて、袋底部（３ｃ）として構成される一方、前後両シート（３ｆ）（３ｇ）の両側端縁（３ｂ）が、上記内袋体（２）の両側端縁（２ｂ）と共に接合一体化されて、これにより上端に袋口（３ａ）を有する有底袋形状に形成されている。
【００６５】
なお、内外両袋体（２）（３）の両側端縁や、外袋体（３）の下端縁の接合手段としては、熱融着によるものが好適に用いられる。
【００６６】
外袋体（３）は、その袋口（３ａ）が内袋体（２）の袋口（２ａ）と同じ高さ位置に設定されている。更に外袋体（３）は、内袋体（２）に対し、上下方向の寸法が長く形成されており、外袋体（３）の下端部における内袋体（２）の袋底部（２ｃ）よりも下方領域に、切除領域（５）が形成されている。
【００６７】
外袋体（３）は、内袋体（２）と相溶性のある非透水性の材料からなり、本実施形態では、内袋体（２）と同じ材質のポリエチレン樹脂等の熱可塑性樹脂により構成されている。
【００６８】
また外袋体（３）の両側端縁（３ｂ）における内袋体（２）の袋底部（２ｃ）よりも下方位置、換言すれば外袋体（３）の両側端縁（３ｂ）における切除領域（５）の上端位置には、切込部（４）（４）が形成されており、この切込部（４）を起点にして、外袋体（３）の下端部を袋底部（３ｃ）に沿って平行に切り裂くことにより、内袋体（２）の袋底部（２ｃ）は残存させた状態で外袋体（３）の切除領域（５）を袋底部（３ｃ）と共に除去できて、外袋体（３）の下方が開放され排水口（３ｄ）が形成されるよう構成されている。
【００６９】
ここで、外袋体（３）の袋底部（３ｃ）における内袋体（２）の袋底部（２ｃ）からの下方突出量（切除領域の上下寸法）は、１０〜６０ｍｍ、より好ましくは下限値を２０ｍｍ以上、上限値を５０ｍｍ以下に設定するのが良い。すなわち、この突出量が小さ過ぎる場合、外袋体（３）における袋底部（３ｃ）の接合量を十分に確保できなかったり、切除領域（５）を切除する際に、誤って内袋体（２）を破断してしまう恐れがある。逆に下方突出量（切除領域の上下寸法）が大き過ぎる場合には、その分、無駄な部分が多くなるばかりか、外観体裁等の美観的にも好ましくない。
【００７０】
以上の構成の粒状物用包装袋（１）は、その内袋体（２）に製品としての砂利（Ｊ）を収納し、その状態で内外両袋体（２）（３）の上端袋口（２ａ）（３ａ）を熱融着により接合一体化して閉塞する。こうして砂利（Ｊ）を袋詰めした状態で販売に供するものである。
【００７１】
そして、この砂利詰め製品の購入者は、砂利（Ｊ）を水槽等に敷き詰める前に、内部の砂利（Ｊ）を洗浄するが、その場合、まず外袋体（３）の両側下部に設けられた切込部（４）を起点にして、外袋体（３）の下端部を袋底部（３ｃ）に沿って平行に切り裂いていき、内袋体（２）の袋底部（２ｃ）は残存させた状態で、外袋体（３）の切除領域（５）を袋底部（３ｃ）と共に切離除去する。これにより外袋体（３）の下端を開放して排水口（３ｄ）を形成する。
【００７２】
更に内外両袋体（２）（３）の上端袋口（２ａ）（３ａ）を開封して、外袋体（３）を底無しの筒状に形成する。このとき言うまでもなく、砂利（Ｊ）は、内袋体（２）によって確実に保持されて、こぼれ落ちるようなことはない。
【００７３】
次いで、図４及び図５に示すように、内袋体（２）の内部に、その上端袋口（２ａ）から通水する。こうして内袋体（２）の内部に導入された水は、砂利（Ｊ）間の各隙間を伝わって、砂利表面に付着した削りカス等の汚染物質と共に、内袋体（２）の透水孔（２ｄ）を通過して内袋体（２）の外部に排出される。更に内袋体（２）の外部に排出された汚水は、外袋体（３）の内面を伝って、下端排水口（３ｄ）から外部に排出される。
【００７４】
なお、この通水時において、図５に示すように、矢符（Ｐ）の方向に沿って外袋体（３）及び内袋体（２）を介して、内部の砂利（Ｊ）をもみ洗いすると、砂利（Ｊ）が互いに擦れ合って、砂利表面の汚染物質を効率良く洗い落とすことができ、洗浄効率を向上させることができる。
【００７５】
通水により洗浄した後は、例えば水を張ったバケツに砂利入りの包装袋（１）の下部を浸し、包装袋（１）を上下に揺すって砂利（Ｊ）を洗浄して、十分に濯いだ後、包装袋（１）を水上に引き上げて水を切る。
【００７６】
その後、砂利（Ｊ）を使用する。例えば砂利（Ｊ）を観賞魚用水槽内に移して底面に敷き詰めるものである。
【００７７】
以上のように、本実施形態の粒状物用包装袋（１）によれば、透水性の内袋体（２）に非透水性の外袋体（３）が外皮状に組み合わされた二重袋構造を有し、外袋体（３）の下端切除領域（５）を袋底部（３ｃ）と共に切除可能に構成しているため、内部の砂利（Ｊ）を洗浄する場合には、外袋体（３）の切除領域（５）を切除して排水口（３ｄ）を形成することにより、砂利（Ｊ）を内袋体（３）に確実に収納保持したままの状態で通水が可能となる。従って、砂利（Ｊ）を包装袋から取り出してバケツ等の洗浄容器に移し替える等の面倒な作業を必要とせずに、砂利（Ｊ）を袋内に収納したままの状態で簡単に洗浄することができる。
【００７８】
また洗浄後の水切りも、包装袋（１）を水上に持ち上げるだけで簡単に行うことができる。
【００７９】
更に外袋体（３）が非透水性のシート部材からなるものであるため、内袋体（２）から排出された汚水が周囲に飛散せず、外袋体（３）の下端排水口（３ｄ）から排出されるので、作業者の衣服や周辺を濡らしたり、汚したりするのを確実に防止することができる。
【００８０】
特に本実施形態においては、下端切除領域（５）が切除された状態の外袋体（３）の下端位置が、内袋体（２）の下端位置よりも下方に配置されるため、通水洗浄時において、内袋体（２）が外袋体（３）によって確実に覆われるので、汚水の周囲への飛散を確実に防止することができる。
【００８１】
更に切除領域（５）を切除する際に、内袋体（２）との干渉を防止できるため、その切除時に、誤って内袋体（２）を破断させてしまうような不具合を確実に防止でき、切除領域（５）の切除作業を、簡単かつスムーズに行うことができる。
【００８２】
また内外両袋体（２）（３）は、共に柔軟な材料により構成されているため、両袋体（２）（３）の外側から、その袋体（２）（３）を介して砂利（Ｊ）を簡単にもみ洗いすることができ、砂利（Ｊ）の洗浄を効率良く行うことができる。更にもみ洗い中において、外袋体（３）は、非透水性であるため、水や砂利（Ｊ）が直接作業者の手に触れることがなく、簡便に洗浄することができる。
【００８３】
また本実施形態の包装袋（１）は、内袋体（２）と外袋体（２）との二重袋構造に形成されているため、十分な強度を得ることができ、流通過程での破損や破断を防止することができる。
【００８４】
更に内袋体（２）は、外袋体（３）により被覆されているため、内袋体（２）としての孔明きシートが外部に露呈することがなく隠蔽されるので、良好な外観体裁を得ることができ、購入者の購買意欲を向上させることができる。
【００８５】
特に本実施形態の粒状物用包装袋（１）においては、内袋体（２）を半透明な材質により構成するとともに、外袋体（３）を透明な材質により構成するものであるため、袋詰めされる砂利の色合い、大きさ、形状等を視認することができる。従って、購買者は内容物を確認して納得した上で、安心して購入することができるので、より一層、購買意欲を向上させることができる。
【００８６】
なお本発明においては、内袋体（２）及び外袋体（３）の双方を、半透明シート又は透明シートにより構成するようにしても良く、一方を半透明シートにより構成し、他方を透明シートにより構成するようにしても良く、更には一方を半透明又は透明シートにより構成し、他方を不透明シートにより構成するようにしても良い。
【００８７】
また本実施形態の包装袋（１）においては、内袋体（２）の両側端縁（２ｂ）と外袋体（３）の両側端縁（３ｂ）とを重ね合わせてこれらを接合一体化するものであるため、内外袋体（２）（３）間の接合一体化処理と、各袋体（２）（３）を構成する前後両面シート（２ｆ）（２ｇ）（３ｆ）（３ｇ）間の接合一体化処理とを同時に行うことができ、効率良く製造することができる。
【００８８】
なお、上記実施形態においては、内袋体（２）を構成する透水性のシート部材としてポリエチレン樹脂のパンチングシートからなるものを用いているが、それだけに限られず、本発明においては、内袋体（２）をポリエチレン繊維等の合成繊維の不織布等からなるものにより構成しても良く、更には、綿、麻、ウール等の天然繊維からなる不織布であっても良く、また合成繊維や天然繊維の織布、ニット地や、メッシュ状シート等であっても良い。
【００８９】
ここで、上記実施形態においては、内袋体（２）をパンチングシートにより構成しているため、不織布等の繊維錯綜体より構成する場合と比較して、材料費を削減できるとともに、製作を容易に行うことができて、コストの削減を図ることができる。
【００９０】
もっとも、内袋体（２）を不織布等の繊維錯綜体により構成する場合には、良好な透水性を確保しつつ、砂利（Ｊ）の漏れだし等の不具合を確実に防止することができる。
【００９１】
また、本発明においては、内袋体（２）に形成される透水孔（２ｄ）の形状も、上記の円形に限られず、多角形、楕円形、長円形等、どのような形状に形成しても良い。
【００９２】
また上記実施形態においては、外袋体（３）を構成する非透水性のシート部材として、ポリエチレン樹脂製のものを用いているが、それだけに限られず、本発明においては、他の合成樹脂からなるものや、ラミネート加工により撥水処理された紙、布帛等であっても良く、その材質は特に限定されるものではない。
【００９３】
ただ、内袋体と外袋体とを無理なく接合一体化することができ、かつ包装袋の封着を無理なく行えるように、両袋体は、互いに相溶性を有するものを用いるのが良く、特に、同じ材質からなるものを用いるのが好ましい。
【００９４】
また、上記実施形態においては、内袋体（２）における上端袋口（２ａ）の外周縁部と、外袋体（３）における上端袋口（３ａ）の外周縁部とが分離されているが、本発明においては、両袋口（２ａ）（３ａ）を互いに接合一体化して、実質的に袋口を１つに構成するようにしても良い。
【００９５】
更に上記実施形態においては、内袋体（２）の上端位置と、外袋体（３）の上端位置とを一致させるようにしているが、これらの位置を上下方向にずらせるようにしても良い。例えば内袋体（２）の上端位置を、外袋体（３）の上端位置よりも上位に位置させても良く、この場合には、内袋体（２）の上端部が露出されるため、その露出部を介して、内袋体（２）内の内容物の確認を容易に行うことができる。更に内袋体（２）の上端位置を、外袋体（３）の上端位置よりも下位に位置させる場合には、外袋体（２）の上端部が、内袋体（２）における上方の周囲四辺を取り囲むように配置されるため、通水洗浄時に、水が上方に跳ね上がる等の不具合を有効に防止することができる。
【００９６】
また本発明においては、包装袋（１）の上端部外周等に取っ手を設けるようにしても良い。この場合には、持ち運びが容易になり、更には通水洗浄中に取っ手を蛇口等に引っ掛けて、包装袋（１）を保持することにより、砂利（Ｊ）等の内容物を両手でもみ洗いすることができ、より一層簡単に内容物を洗浄することができる。
【００９７】
更に上記実施形態においては、外袋体（３）の両側下端部に切込部（４）を形成して、外袋体（３）における下端切除領域（５）を切除操作を容易に行うようにしているが、本発明はそれだけに限られず、外袋体（３）の下部における切り裂き予定ラインに沿って、ミシン目等の切除ガイド手段を設けるようにしても良い。もっとも、本発明においては、切込部（４）やミシン目等の切除ガイド手段は必ずしも設ける必要はなく、ハサミやカッターナイフ等で外袋体（３）の切除領域（５）を切除するようにしても良く、袋底部（３ｃ）を手で引き裂くことができるように構成しても良い。
【００９８】
また上記実施形態においては、袋詰めされる粒状物として砂利（Ｊ）が採用されているが、本発明において内容物は特に限定されるものではなく、例えば米等の他の粒状物を袋詰めするようにしても良い。
【００９９】
また上記実施形態においては、外袋体（３）の下端部に切除領域（５）を形成するようにしているが、それだけに限られず、本発明においては、上部や中間部等に切除領域を形成するようにしていも良い。
【０１００】
＜第２実施形態＞
図６ないし図９はこの発明の第２実施形態である粒状物用包装袋（１）を示す図である。これらの図に示すように、この包装袋（１）は、有底の半透明な内袋体（２）と、その内袋体（２）に外皮状態に組み合わされた有底の透明な外袋体（３）とを備えた二重袋構造に形成されている。
【０１０１】
内袋体（２）は、前面上部から中間部にかけて配置される前面上側シート（２ｆ）と、そのシート（２ｆ）の下端に接合一体化される前面下端シート（６ｆ）と、後面上部から中間部にかけて配置される後面上側シート（２ｇ）と、そのシート（２ｇ）の下端に接合一体化される後面下端シート（６ｇ）とを有している。そして、前後両下端シート（６ｆ）（６ｇ）が下端縁において接合一体化されてその接合部が袋底部（２ｃ）として構成されるとともに、各シート（２ｆ）（６ｆ）（２ｇ）（６ｇ）の対応し合う両側端縁（２ｂ）が互いに接合一体化されて、これにより上端に袋口（２ａ）を有する有底袋形状に形成されている。
【０１０２】
前後上側シート（２ｆ）（２ｇ）は、ポリエチレン樹脂等の熱可塑性樹脂製の柔軟な非透水性のシート部材をもって構成されている。更に前後下端シート（６ｆ）（６ｇ）は、ポリエチレン繊維からなるシート状の不織布をもって構成されており、この前後下端シート（６ｆ）（６ｇ）によって、透水性領域（６）が形成されている。
【０１０３】
内袋体（２）は、内部に砂利（Ｊ）を収容した状態に確実に保持できる一方、削りカス等、砂利表面に付着した微粉状の汚染物質を、透水性領域（６）を介して水と共に外部に排出できるよう濾過機能を有している。
【０１０４】
外袋体（３）は、前面シート（３ｆ）と後面シート（３ｇ）とを有し、前後両シート（３ｆ）（３ｇ）の下端縁が互いに接合一体化されて、袋底部（３ｃ）として構成される一方、前後両シート（３ｆ）（３ｇ）の両側端縁（３ｂ）が、上記内袋体（２）の両側端縁（２ｂ）と共に接合一体化されて、これにより上端に袋口（３ａ）を有する有底袋形状に形成されている。
【０１０５】
外袋体の両シート（３ｆ）（３ｇ）は、内袋体（２）の上側シート（２ｆ）（２ｇ）と同じ材質のポリエチレン樹脂等の熱可塑性樹脂製の非透水性シート部材により構成されている。
【０１０６】
なお、内袋体（２）における上側シート（２ｆ）（２ｇ）と、下端シート（６ｆ）（６ｇ）の接合手段としては、熱融着によるものが好適に用いられる。
【０１０７】
更に、内外両袋体（２）（３）の両側端縁や、袋底部（２ｃ）（３ｃ）の接合手段としては、熱融着によるものが好適に用いられる。
【０１０８】
また外袋体（３）の両側端縁（３ｂ）における下端部には、切込部（４）（４）が形成されており、この切込部（４）を起点にして、外袋体（３）の下端部を袋底部（３ｃ）に沿って平行に切り裂くことにより、内袋体（２）の袋底部（２ｃ）は残存させた状態で外袋体（３）の下端領域（切除領域５）を袋底部（３ｃ）と共に除去できて、外袋体（３）の下方が開放され排水口（３ｄ）が形成されるよう構成されている。
【０１０９】
本第２実施形態において、上記以外の構成は、上記第１実施形態の構成と実質的に同様であるため、同一部分に同一符号を付して重複説明は省略する。
【０１１０】
以上の構成の粒状物用包装袋（１）は、上記と同様に、砂利（Ｊ）が収納されており、その砂利（Ｊ）を洗浄する場合には、外袋体（３）の切除領域（５）を接離除去し、排水口（３ｄ）を形成し、内袋体（２）の上端袋口（２ａ）から通水する。こうして砂利（Ｊ）に供給された水は、、砂利（Ｊ）間を通過して内袋体（２）の透水性領域（６）を通過した後、外袋体（３）の下端排出口（３ｄ）から外部に排出される。
【０１１１】
この第２実施形態においても、上記と同様に同様の効果を得ることができる。その上更に、不織布からなる下端シート（６ｆ）（６ｇ）を透水性領域（６）として構成するものであるため、砂利（Ｊ）による目詰まりもなく、良好な透水性を確保することができる。
【０１１２】
ところで、本実施形態のような包装袋（１）において、内袋体（２）の全域を不織布により構成する場合には、内袋体（２）としての不織布と、外袋体（３）としての樹脂シートとの接合強度を十分に確保することが困難であるが、本実施形態のように、内袋体（２）の一部のみを不織布に構成する場合には、不織布以外の領域を、外袋体（３）と同種のシート部材により構成することができるため、内外両袋体（２）（３）間の接合強度を十分に確保でき、包装袋として十分な強度を得ることができ、流通過程や洗浄時における破断や破損等を有効に防止することができる。
【０１１３】
ここで、本実施形態において、下端シート（６ｆ）（６ｇ）の上下寸法、換言すれば透水性領域（６）の上下寸法は、２０〜８０ｍｍ、好ましくは下限値を３０ｍｍ以上、上限値を６０ｍｍ以下に設定するのが良い。すなわち、透水性領域（６）が小さ過ぎる場合には、後述する通水洗浄時に水の排出がスムーズに行われず、洗浄効率が低下する恐れがある。逆に、透水性領域（６）が大き過ぎる場合には、相対的に上側シート（２ｆ）（２ｇ）が小さくなり、そのシート（２ｆ）（２ｇ）の外袋体（３）の前後シート（３ｆ）（３ｇ）に対する接合面積が小さくなって、内外袋体（２）（３）間の接合強度を十分に確保できなくなる恐れがある。
【０１１４】
なお上記実施形態においては、外袋体（３）の下端部に切除領域（５）を設けて、その切除領域（５）を切除することにより、排水口（３ｄ）を形成するようにしているが、本発明はそれだけに限られず、外袋体（３）の下端部を破いたり切り込んて排水口（３ｄ）を形成したり、あるいは外袋体（３）の袋底部（３ｃ）等を切り開いたり切り裂いて開放することにより、排水口（３ｄ）を形成するようにしても良い。
【０１１５】
また上記実施形態においては、透水性領域（６）をポリエチレン繊維の不織布により構成しているが、本発明はそれだけに限られず、透水性領域（６）を、他の合成繊維の不織布や、綿、麻、ウール等の天然繊維からなる不織布であっても良く、また合成繊維や天然繊維の織布、ニット地や、メッシュ状シート等であっても良い。更に内袋体（２）を非透水性のシート部材により構成して、その透水性領域に多数の通水孔を形成するようにしても良い。
【０１１６】
更に上記実施形態においては、内袋体の下端部に透水性領域を形成するようにしているが、本発明はそれだけに限られず、透水性領域を内袋体の中間部や上部等に設けるようにしても良く、更に外袋体の排水口を中間部や上部等に設けるように構成しても良い。
【０１１７】
もっとも、砂利洗浄時の排水性を考慮すると、内袋体の下端部、特に袋底部周辺に透水性領域を形成するのが良い。更に外袋体の下端部、特に袋底部周辺に排水口を形成するように構成するのが良い。
【０１１８】
＜第３実施形態＞
図９及び図１０はこの発明の第３実施形態である粒状物用包装袋（１）を示す図である。両図に示すように、この包装袋（１）は、外袋体（３）の前面シート（３ｆ）が、内袋体（２）に対し剥離可能に接合一体化されている。
【０１１９】
そして、通水洗浄時には、外袋体（３）の前面シート（３ｆ）を、その少なくとも下端部を剥離して排水口（３ｄ）を形成するものである。
【０１２０】
その他の構成は、上記第２実施形態と同様であるため、同一部分に同一符号を付して重複説明は省略する。
【０１２１】
この第３実施形態の包装袋（１）においても上記と同様に同様の効果を得ることができる。
【０１２２】
なお本実施形態においては、前面シート（３ｆ）の剥離操作を容易に行えるように、前面シート（３ｆ）の角部を、あらかじめ内袋体（２）から剥離させておくようにしても良い。
【０１２３】
＜第４実施形態＞
図１１ないし図１３はこの発明の第４実施形態である粒状物用包装袋（１１）を示す図である。これらの図に示すように、この包装袋（１１）は、前面シート（１３ｆ）と、中間シート（１２ｅ）と、後面シート（１３ｇ）とが積層配置された三層シート構造を有している。
【０１２４】
前後両シート（１３ｆ）（１３ｇ）は、上記第１実施形態における外袋体（３）の前後両シート（３ｆ）（３ｇ）と同様の材質のものからなり、非透水性を有するものである。
【０１２５】
中間シート（１２ｅ）は、上記第１実施形態における内袋体（２）の前後シート（２ｆ）（２ｇ）と同様の材質のものからなり、同様に多数の透水孔（１２ｄ）が形成されている。
【０１２６】
更に前後シート（１３ｆ）（１３ｇ）の構成も、上記第１実施形態と同様であり、同様の変形が可能である。
【０１２７】
本実施形態では、前面シート（１３ｆ）及び後面シート（１３ｇ）間に、中間シート（１２ｅ）を挟み込んで積層配置し、その状態でこれらのシートの両側端縁（１２ｂ）（１３ｂ）及び下端縁（１３ｃ）が接合一体化される。これにより、中間シート（１２ｅ）と後面シート（１３ｇ）との間に、粒状物としての砂利（Ｊ）を収容可能な袋状部（１２）が形成される。
【０１２８】
ここで、本実施形態においては、前面シート（１３ｆ）は、中間シート（１２ｅ）や後面シート（１３ｇ）に対し、剥離可能な状態に取り付けられており、必要に応じて、前面シート（１３ｆ）を中間シート（１２ｅ）から剥離除去できるよう構成されている。
【０１２９】
なお本実施形態においては、前面シート（１３ｆ）の剥離操作を容易に行えるように、前面シート（１３ｆ）の角部を、あらかじめ中間シート（１２ｅ）から剥離させておくようにしても良い。
【０１３０】
また前面シート（１３ｆ）は、必ずしも、周縁の接合部を剥離可能に構成する必要はなく、周縁接合部近傍の前面シート部分を切り裂いて除去できるよう構成しても良い。更にこのように切り裂いて除去できるよう構成する場合には、その切り裂き部に沿って、あらかじめミシン目等の切除ガイド手段を設けるようにしても良い。
【０１３１】
その他の構成は、上記第１実施形態の包装袋（１）と実質的に同様であるため、同一又は相当部分に相当符号を付して、重複説明は省略する。
【０１３２】
以上の構成の粒状物用包装袋（１１）は、袋状部（１２）に製品としての砂利（Ｊ）を収納し、その状態で袋状部（１２）の上端袋口（１２ａ）、つまり中間シート（１２ｅ）及び後面シート（１３ｇ）の上端縁部同士を熱融着等により接合一体化して閉塞する。このとき、中間シート（１２ｅ）及び前面シート（１３ｆ）の上端縁部同士も接合一体化しておいても良い。
【０１３３】
こうして砂利（Ｊ）を袋詰めした状態で販売に供するものであるが、この袋詰め製品を購入後、砂利（Ｊ）を洗浄する場合には、図１４に示すように前面シート（１３ｆ）を中間シート（１２ｅ）から剥離して除去し、中間シート（１２ｅ）の透水孔（１２ｄ）を露出させる。
【０１３４】
その後、袋状部（１２）の上端袋口（１２ａ）を開封し、その袋口（１２ａ）から袋状部（１２）の内部に通水する。こうして袋状部（１２）に導入された水は、砂利（Ｊ）間の各隙間を伝わって、砂利表面に付着した削りカス等の汚染物質と共に、透水孔（１２ｄ）を通って外部に排出される。
【０１３５】
なお、この通水時においては、上記第１実施形態と同様に、包装袋（１１）の外部から、内部の砂利（Ｊ）をもみ洗いすると、砂利（Ｊ）が互いに擦れ合って、砂利表面の汚染物質を効率良く洗い落とすことができ、洗浄効率を向上させることができる。
【０１３６】
通水により洗浄した後は、例えば水を張ったバケツに砂利入りの包装袋（１１）の下部を浸し、包装袋（１１）を上下に揺すって砂利（Ｊ）を洗浄して、十分に濯いだ後、包装袋（１１）を水上に引き上げて水を切る。
【０１３７】
こうして洗浄が完了した後、砂利（Ｊ）を、観賞魚用水槽の底敷材等として使用するものである。
【０１３８】
以上のように、本実施形態の粒状物用包装袋（１１）によれば、非透水性の前面シート（１３ｆ）及び後面シート（１３ｇ）間に、透水性の中間シート（１２ｅ）を挟み込んだ３層シート構造を有し、前面シート（１３ｆ）を剥離可能に構成しているため、中間シート（１２ｅ）及び後面シート（１３ｇ）間の袋状部（１２）に収納された砂利（Ｊ）を洗浄する場合には、前面シート（１３ｆ）を剥離除去して、中間シート（１２ｅ）の透水孔（１２ｄ）を開放することにより、砂利（Ｊ）を袋詰めにしたままの状態で通水が可能となる。従って、砂利（Ｊ）を包装袋から取り出してバケツ等の洗浄容器に移し替える等の面倒な作業を必要とせずに、砂利（Ｊ）を袋内に収納したままの状態で簡単に洗浄することができる。
【０１３９】
また洗浄後の水切りも、包装袋（１１）を水上に持ち上げるだけで簡単に行うことができる。
【０１４０】
更に中間シート（１２ｅ）は、前面シート（１３ｆ）により被覆されているため、中間シート（１２ｅ）の透水孔（１２ｄ）が外部に露呈することがなく隠蔽されるので、良好な外観体裁を得ることができ、購入者の購買意欲を向上させることができる。
【０１４１】
特に本実施形態の粒状物用包装袋（１１）においては、各シート（１２ｅ）（１３ｆ）（１３ｇ）を半透明な材質により構成するものであるため、袋詰めされる砂利の色合い、大きさ、形状等を視認することができる。従って、購買者は内容物を確認して納得した上で、安心して購入することができるので、より一層、購買意欲を向上させることができる。
【０１４２】
なお上記実施形態においては、前面シート（１３ｆ）全体を剥離除去するように構成しているが、本発明はそれだけに限られず、前面シート（１３ｆ）を部分的に剥離するように構成しても良い。例えば前面シート（１３ｆ）の下側部のみを部分的に剥離して、通水洗浄するようにしても良い。この場合、前面シート（１３ｆ）の主要部が残存しているため、その前面シート（１３ｆ）によって水の周囲への飛散を確実に防止することができる。
【０１４３】
また上記実施形態においては、中間シート（１２ｅ）の全域に透水孔（１２ｄ）を形成して、中間シート全域を透水領域として構成するようにしているが、本発明はそれだけに限られず、中間シートに部分的に透水孔を形成し、中間シートの一部を透水領域に構成するようにしても良い。
【０１４４】
また上記実施形態においては、中間シート（１２ｅ）を構成する透水性のシート部材としてポリエチレン樹脂のパンチングシートからなるものを用いているが、それだけに限られず、本発明においては、中間シート（１２ｅ）をポリエチレン繊維等の合成繊維の不織布等からなるものにより構成しても良く、更には、綿、麻、ウール等の天然繊維からなる不織布であっても良く、また合成繊維や天然繊維の織布、ニット地や、メッシュ状シート等であっても良い。
【０１４５】
更に本発明においては、中間シートの一部に透水性領域を形成する場合、その透水性領域のみに部分的に前面シートを剥離可能に取り付けるようにしても良い。
【０１４６】
また本発明においては、、上記各実施形態の変形例は、他の実施形態にも同様に適用することができ、同様の作用効果を奏するものである。
【０１４７】
【発明の効果】
以上のように、本第１発明の粒状物用包装袋によれば、透水性の内袋体に非透水性の外袋体が外皮状に組み合わされた二重袋構造を有しており、外袋体の下端切除領域を除去して排水口を形成できるように構成しているため、内部の粒状物を洗浄する場合には、外袋体の切除領域を切除して排水口を形成することにより、粒状物を内袋体に収納保持したままの状態で通水が可能となる。従って、粒状物を洗浄する際に粒状物を洗浄容器へ移し替える等の面倒な作業を必要とせず、袋詰めしたままの状態で簡単に洗浄することができる。更に簡単な切除操作によって排水口を形成することができるため、より一層、簡単に内容物を洗浄することができる。しかも切除領域は、内袋体の袋底部よりも下方に設けているため切除領域を切除する際に、誤って内袋体を破断してしまうこともなく、切除操作をより簡単に行うことができる。また内袋体と外袋体との二重袋構造に形成されているため、十分な強度を得ることができ、流通過程での破損や破断を防止することができるとともに、内袋体は、外袋体により被覆されているため、孔明きシートや不織布等の内袋体が外部に露呈することがなく隠蔽されるので、良好な外観体裁を得ることができ、購入者の購買意欲を向上させることができるという効果がある。
【０１４８】
また本発明において、外袋体の側端縁下端部に、下端切除領域の切除操作をガイドするための切除ガイド用切込部を形成する場合には、その切込部を起点にして、切除領域をより一層簡単かつ正確に切除することができ、排水口の形成を、より一層簡単かつ確実に行うことができるという利点がある。
【０１４９】
また本第１発明において、内袋体を合成繊維の不織布により構成する場合には、通水洗浄時に、内袋体内の砂利等の粒状物を流出させることなく、廃水のみを排出することができ、より一層効率良く洗浄することができるという利点がある。
【０１５０】
また本発明において、内袋体を合成樹脂のパンチングシートにより構成する場合には、例えば内袋体を不織布等により構成する場合と比較して、材料費を削減できるとともに、製作を容易に行うことができて、コストの削減を図ることができるという利点がある。
【０１５１】
更に本第１発明においては、外袋体が、内袋体に対し相溶性を有する熱可塑性合成樹脂製のシートにより構成する場合には、両袋体間の接合一体化処理を熱融着等を用いて簡単に行うことができ、より一層簡単に製造することができるという利点がある。
【０１５２】
本第２発明の粒状物用包装袋によれば、上記第１発明と同様に同様の効果を得ることができる上更に、透水性領域を内袋体の一部に設けるものであるため、内袋体の残りの領域を、外袋体と同種の材質により構成することができる。このため、内外両袋体間の接合一体化処理を熱融着等を用いて確実に行うことができ、内外両袋体間の接合強度を向上させることができ、例えば内袋体の外袋体との接合固定部が剥離したり、破断したりする等の不具合を確実に防止することができるという効果がある。
【０１５３】
本第２発明において、内袋体の袋底部分を透水性領域として構成する場合、洗浄通水時に内袋体に注入した水を内袋体から効率良く排出することができるという利点がある。
【０１５４】
更に本第２発明において、外袋体の袋底部分を切除して排水口を形成する場合、洗浄通水時に内袋体から外袋体内に流出された水を、外部に効率良く排出することができるという利点がある。
【０１５５】
また本第２発明において、外袋体の前面シートを剥離して排水口を形成する場合、通水洗浄時における排水口の形成作業を容易に行うことができるという利点がある。
【０１５６】
また本第２発明において、内袋体の透水性領域を不織布や透水孔により構成し、他の領域を外袋体と同種の材質により構成する場合、所定の透水性を確保しつつ、内外両袋体間の接合強度を向上させることができるという利点がある。
【０１５７】
本第３発明の粒状物用包装袋によれば、中間シート及び後面シート間の袋状部に収納された砂利等の粒状物を洗浄する場合には、前面シートを剥離して、中間シートの透水性領域を外部に導通させることにより、粒状物を袋詰めにしたままの状態で通水が可能となる。従って、粒状物を包装袋から取り出してバケツ等の洗浄容器に移し替える等の面倒な作業を必要とせずに、粒状物を袋内に収納したままの状態で簡単に洗浄することができる。しかも、簡単な剥離操作を行うだけで、手軽に内容物を洗浄することができる。更に三層シート構造を有するものであるため、十分な強度を得ることができ、流通過程での破損や破断を防止することができるとともに、中間シートは、前面シートにより被覆されているため、孔明きシートや不織布等の中間シートが外部に露呈することがなく隠蔽されるので、良好な外観体裁を得ることができるという効果がある。
【０１５８】
本第３発明において、前面シートの全域を剥離するよう構成する場合には、通水時の排水効率を向上できて、より一層洗浄効率を向上させることができるという利点がある。
【０１５９】
本第４発明の粒状物用包装袋によれば、上記第３発明と同様に同様の効果を得ることができる上更に、透水性領域を中間シートの一部に設けるものであるため、中間シートの残りの領域を、前面シート及び後面シートと同種の材質により構成することができる。このため、各シート間の接合一体化処理を熱融着等を用いて確実に行うことができ、シート間の接合強度を向上させることができるという効果がある。
【０１６０】
本第４発明において、中間シートの下端に透水性領域を設ける場合、通水洗浄時に袋状部に注入した水を外部に効率良く排出することができるという利点がある。
【０１６１】
本第５発明の粒状物用包装袋によれば、袋体内の砂利等の洗浄物を洗浄する場合には、剥離シートを剥離して、透水性領域を露出させることにより、粒状物を袋詰めにしたままの状態で通水が可能となる。従って、粒状物を包装袋から取り出してバケツ等の洗浄容器に移し替える等の面倒な作業を必要とせずに、粒状物を袋内に収納したままの状態で簡単に洗浄することができる。しかも、簡単な剥離操作を行うだけで、手軽に内容物を洗浄することができる。更に透水性領域は、剥離シートにより被覆されているため、透水孔等が外部に露呈することがなく隠蔽されるので、良好な外観体裁を得ることができ、購入者の購買意欲を向上させることができるという効果がある。
【０１６２】
更に本第５発明において、有底袋体の袋底部分を透水性領域に構成する場合、通水洗浄時に袋体に注入した水を外部に効率良く排出することができるという利点がある。
【図面の簡単な説明】
【図１】この発明の第１実施形態である粒状物用包装袋をその一部を切り欠いた状態で示す正面図である。
【図２】第１実施形態の包装袋を示す側面断面図である。
【図３】第１実施形態の包装袋を示す平面断面図である。
【図４】第１実施形態の包装袋を内容物洗浄中の状態で示す斜視図である。
【図５】第１実施形態の包装袋を内容物洗浄中の状態で示す側面断面図である。
【図６】この発明の第２実施形態である粒状物用包装袋をその一部を切り欠いた状態で示す正面図である。
【図７】第２実施形態の包装袋を示す側面断面図である。
【図８】第２実施形態の包装袋を示す内容物洗浄中の状態で示す側面断面図である。
【図９】この発明の第３実施形態である粒状物用包装袋をその前面シートの一部を剥離した状態で示す正面図である。
【図１０】第３実施形態の包装袋を示す内容物洗浄中の状態で示す側面断面図である。
【図１１】この発明の第４実施形態である粒状物用包装袋をその前面シートの一部を剥離した状態で示す正面図である。
【図１２】第４実施形態の包装袋を示す側面断面図である。
【図１３】第４実施形態の包装袋を示す平面断面図である。
【図１４】第４実施形態の包装袋を内容物洗浄中の状態で示す側面断面図である。
【符号の説明】
１…包装袋
２…内袋体
２ｂ…側端縁
２ｃ…袋底部
２ｄ…透水孔
３…外袋体
３ｂ…側端縁
３ｃ…袋底部
３ｄ…排水口
３ｆ…前面シート
３ｇ…後面シート
４…切込部
５…切除領域
６…透水性領域
１１…包装袋
１２…袋状部
１２ｂ…側端縁
１２ｃ…下端縁
１２ｅ…中間シート
１２ｄ…透水孔
１３ｂ…側端縁
１３ｃ…下端縁
１３ｆ…前面シート（剥離シート）
１３ｇ…後面シート
Ｊ…砂利（粒状物）
【図１】
2004189287.tif 000003
【図２】
2004189287.tif 000004
【図３】
2004189287.tif 000005
【図４】
2004189287.tif 000006
【図５】
2004189287.tif 000007
【図６】
2004189287.tif 000008
【図７】
2004189287.tif 000009
【図８】
2004189287.tif 000010
【図９】
2004189287.tif 000011
【図１０】
2004189287.tif 000012
【図１１】
2004189287.tif 000013
【図１２】
2004189287.tif 000014
【図１３】
2004189287.tif 000015
【図１４】
2004189287.tif 000016